(57)【要約】【課題】  着用者に誤った換え時を印象付けることがない吸収性物品を提供する。【解決手段】  吸収体４と、この吸収体を覆う表面シート２、裏面シート３とを備え、吸収体４の短手方向の両端部近傍には、長手方向に沿って、一対のマスキング部材５が配置されている。マスキング部材５は、厚み方向に連通する空孔を有する多孔質フィルムであり、その厚さは、２０ｇ／ｃｍ２荷重下で０．４ｍｍ以上であることが好ましい。これにより、表面シートの側縁部分に液体が染み出すことがなくなり、着用者が換え時を誤認するのを防止できる。【選択図】  図１
2006198130.tif 000002
【特許請求の範囲】
【請求項１】
表面シートと、裏面シートと、これら両シートの間に配置される吸収体とを備え、
装着時に、着用者の前後方向に位置する長手方向と、着用者の左右方向に位置する短手方向とを有する吸収性物品であって、
前記吸収体の前記短手方向の両端部近傍には、前記長手方向に沿って一対のマスキング部材が配置されている吸収性物品。
【請求項２】
前記マスキング部材は、厚み方向に連通する空孔を有する多孔質フィルムである請求項１記載の吸収性物品。
【請求項３】
前記多孔質フィルムの厚さは、２０ｇ／ｃｍ２荷重下で０．４ｍｍ以上である請求項２記載の吸収性物品。
【請求項４】
前記多孔質フィルムは開孔フィルムであり、
前記開孔フィルムの一方の面には、他方の面のそれぞれの前記空孔の周縁部から延出する周状のリブが形成されており、
前記開孔フィルムは、前記一方の面が前記吸収体側に向かうように配置されている請求項２又は３記載の吸収性物品。
【請求項５】
前記周状のリブは、その終端部に向かって縮径するテーパー状をなしている請求項４記載の吸収性物品。
【請求項６】
前記開孔フィルムが複数枚重ねて配置されており、少なくとも前記吸収体側に配置される開孔フィルムは、前記一方の面が前記吸収体側に向かうように配置されている請求項４又は５記載の吸収性物品。
【請求項７】
前記多孔質フィルムは、連続気泡を有する発泡フィルムである請求項２又は３記載の吸収性物品。
【請求項８】
前記表面シートと前記吸収体との間に、前記マスキング部材が配置されている請求項１から７いずれか記載の吸収性物品。
【請求項９】
前記表面シート上に、前記マスキング部材が配置されている請求項１から７いずれか記載の吸収性物品。
【請求項１０】
前記マスキング部材と、前記表面シートと、前記裏面シートと、前記吸収体とが、前記吸収体の前記短手方向の両端部近傍にて接合されて一体化されている請求項１から９いずれか記載の吸収性物品。
【請求項１１】
前記マスキング部材は、着色されているものである請求項１から１０いずれか記載の吸収性物品。
【請求項１２】
前記マスキング部材は、前記長手方向に張力がかけられた状態で配置されている請求項１から１１いずれか記載の吸収性物品。
【発明の詳細な説明】
【技術分野】
【０００１】
本発明は、使用中に経血などの体液が隠蔽される隠蔽効果を有する、生理用ナプキン等の吸収性物品に関する。
【背景技術】
【０００２】
経血などの体液を吸収する吸収性物品は、一般に、身体と接触する液易透過性の表面シートと、その反対面となる液難透過性の裏面シートと、これら両シートとの間に介在する吸収体により形成されている。また、吸収性物品は、通常、装着時に着用者の前後方向に位置する長手方向と、着用者の左右方向に位置する短手方向（横手方向）とを有している。このような吸収性物品においては、近年、下着汚れ等を解消するために、吸収体の吸収力が向上している。
【０００３】
吸収体が体液を吸収すると、体液は、毛管作用で吸収体の前後左右へと均一に拡散する。このとき、上記の吸収性物品においては、短手方向への拡散距離が長手方向より短くなる。このため、体液は、まず、吸収体の短手方向の両端部まで拡散する。その後、長手方向の両端部まで拡散して、この段階で吸収体の吸収容量を使い切ることになる。
【０００４】
しかし、短手方向の両端部へ拡散した段階で、体圧によって拡散した体液が表面シートに移行し、この移行が着用者に視覚的に認識された場合、着用者は、この段階で吸収体の容量を使い切ったものと誤認してしまう。その結果、吸収容量をすべて使い切らずに、製品の取替えを行ってしまうことになるという問題がある。
【０００５】
このような問題を解決するために、特許文献１では、吸収体の周縁部にマスキング部材を設けている。これによって、吸収体の周辺に隠蔽効果を生じさせて、着用者に吸収体が飽和状態（換え時）であるという印象を与えるのを防止することが可能となっている。
【特許文献１】特表平１０−５０００４８
【発明の開示】
【発明が解決しようとする課題】
【０００６】
特許文献１に開示されている吸収性物品では、周囲にマスキング部材を配置することで、着用者に誤った換え時という視覚的印象を与えずに済む。しかし、製品の全周に渡ってマスキング部材が配置されているため、製品の長手方向の両端部においてもマスキング効果を発揮してしまい、逆に換え時が、視覚的には判らない場合がある。
【０００７】
また、吸収性物品は体圧がかかった状態で使用されるが、体圧がかかると吸収体で一度獲得された体液が表面シ−ト側に戻る傾向がある（ウエットバック）。したがって、マスキング部材にも体液の通過を一時的に防止する機能がないと、吸収体から外方に拡散した体液が、マスキング部材を透過して表面シートに付着して汚してしまい、結果として充分にマスキング効果を発揮できない。しかし、このような体液の通過防止機能につては、特許文献１のマスキング部材においては検討されていない。
【０００８】
本発明は、以上のような課題に鑑みてなされたものであり、着用者に誤った換え時を印象付けることがない吸収性物品を提供することを目的とする。
【課題を解決するための手段】
【０００９】
本発明はより具体的には以下のような吸収性物品を提供する。
【００１０】
（１）  表面シートと、裏面シートと、これら両シートの間に配置される吸収体とを備え、装着時に、着用者の前後方向に位置する長手方向と、着用者の左右方向に位置する短手方向とを有する吸収性物品であって、前記吸収体の前記短手方向の両端部近傍には、前記長手方向に沿って一対のマスキング部材が配置されている吸収性物品。
【００１１】
（１）の発明によれば、マスキング部材を、吸収体の短手方向の両端部近傍に、長手方向に沿って一対配置したことによって、吸収体で獲得され、そこから毛管作用で吸収体の外方に拡散した体液が体圧によって表面シート側に戻ろうとしても、マスキング部材によって表面シートの部分を隠蔽できる。
【００１２】
一方、吸収体の長手方向の両端部近傍には、マスキング部材が配置されていない。このため、長手方向の両端部近傍においては隠蔽効果を発揮してないので、着用者は、最終的な換え時を視覚的に認識することができる。また、マスキング部材は吸収体よりも硬く、体圧に対して比較的耐性のある材料であるため、粘膜質である排泄口部位に配置すると着用者に違和感を与えるが、本発明においては、吸収体の長手方向の両端部近傍には、マスキング部材が配置されていないので、違和感を与えることもない。
【００１３】
このように、本発明によれば、マスキング部材を長手方向に沿ってのみ一対配置したことによって、マスキング部材が配置されていない部分とで液体を吸収した際の見た目が異なり、着用者に正しい換え時を知らせることが可能となる。なお、本発明における「マスキング部材」とは、液体を遮蔽することが可能な所定の嵩を有した部材をいう。具体的には、多孔質フィルム、不織布、ウレタンフォーム等が用いられる。
【００１４】
（２）  前記マスキング部材は、厚み方向に連通する空孔を有する多孔質フィルムである（１）記載の吸収性物品。
【００１５】
（２）の発明によれば、マスキング部材を厚み方向に連通する空孔を有する多孔質フィルムとしたことによって、体圧によって流出してきた体液を獲得し、一時的に空孔内に滞留させることが可能となる。これにより、吸収体の短手方向の両端部からの毛管作用による拡散が、漏れへと発展するのを防止できる。
【００１６】
（３）  前記多孔質フィルムの厚さは、２０ｇ／ｃｍ２荷重下で０．４ｍｍ以上である（２）記載の吸収性物品。
【００１７】
（３）の発明によれば、多孔質フィルムの厚さを上記範囲としたことによって、体圧がかかった状態においても吸収体と表面シートとの接触を防ぐことができ、表面シートに染み出した液体が付着することを防止することが可能となり、隠蔽効果を発揮できる。この多孔質フィルムの厚さは、２０ｇ／ｃｍ２荷重下で０．４ｍｍ以上であるが、好ましくは０．５５ｍｍ以上、更に好ましくは０．７ｍｍ以上である。体液が表面シートに染み出すことがなくても、表面シート側からの見た目において、経血などの赤色を見せると着用者に不安を与えてしまうため、体液を吸収した吸収体との距離をできるだけ遠ざけた方が好ましいためである。
【００１８】
（４）  前記多孔質フィルムは開孔フィルムであり、前記開孔フィルムの一方の面には、他方の面のそれぞれの前記空孔の周縁部から延出する周状のリブが形成されており、前記開孔フィルムは、前記一方の面が前記吸収体側に向かうように配置されている（２）又は（３）記載の吸収性物品。
【００１９】
（４）の発明によれば、開孔フィルムの一方の面に空孔の周縁部から延出する周状のリブを設けることで、開孔フィルムの嵩（厚さ）を増すことができ、更に、「一方の面」には、隣り合うリブ同士によって設けられた「窪み」が形成される。そして、この一方の面を吸収体側に向かうように配置することで、体圧によって流出してきた体液を「窪み」で獲得し、体圧がかかった状態でも体液が表面シート側に染み出すことをより的確に防ぐことが可能となる。
【００２０】
（５）  前記周状のリブは、その終端部に向かって縮径するテーパー状をなしている（４）記載の吸収性物品。
【００２１】
（５）の発明によれば、周状のリブを、その終端部に向かって縮径するテーパー状とすることで、「窪み」の体積を増加し、かつ、空孔への流入口を狭めることができる。これによって、「窪み」で獲得できる体液を増加でき、逆に、空孔を通過する体液量を減少できるので、一時的に「窪み」内に滞留させつつ、体圧がかかった状態でも体液が空孔を通過して表面シート側に染み出すことをより的確に防ぐことが可能となる。また、このような配置とすることで、体液の隠蔽性を更に高めることができる。
【００２２】
（６）  前記開孔フィルムが複数枚重ねて配置されており、少なくとも前記吸収体側に配置される開孔フィルムは、前記一方の面が前記吸収体側に向かうように配置されている（４）又は（５）記載の吸収性物品。
【００２３】
（６）の発明によれば、開孔フィルムを複数枚用いることによって、吸収体から表面シートまでの距離が長くなるため、体圧がかかった場合においても体液が表面シートから染み出すことをより効率的に防ぐことが可能となる。また、表面シート側からの見た目における隠蔽効果がより高くなるので、経血などの赤色を見せることなく、着用者に不快感をより与えにくくすることが可能となる。
【００２４】
（７）  前記多孔質フィルムは、連続気泡を有する発泡フィルムである（２）又は（３）記載の吸収性物品。
【００２５】
（７）の発明によれば、厚み方向に連通する空孔を有する多孔質フィルムが容易に得られる。また、発泡の程度を調整することによって、空孔の大きさや数を自在に調整可能できる。
【００２６】
（８）  前記表面シートと前記吸収体との間に、前記マスキング部材が配置されている（１）から（７）いずれか記載の吸収性物品。
【００２７】
（８）の発明によれば、吸収体で獲得され、そこから毛管作用で吸収体の外方に拡散した体液が体圧によって表面シート側に戻ろうとしても、マスキング部材によって表面シートの部分を隠蔽できる。すなわち、まず、体液は表面シートの略中央部から流入して吸収体で一時的に獲得され、一部保持される。吸収された体液は、毛管作用により、吸収性物品の前後及び左右にほぼ同心円状に拡散する。拡散した体液は、吸収体のそれぞれの拡散した領域で一時的に獲得され、一部保持される。この一部保持された液以外の体液は、通常、体圧がかかることによって、表面シート側に染み出てしまう。しかし、吸収体の短手方向の両端部近傍にはマスキング部材が配置されているので、表面シートと吸収体とが離間しており、これによって、体液がマスキング部材を通過して表面シートに戻ろうとするのを防ぐことができる。
【００２８】
（９）  前記表面シート上に、前記マスキング部材が配置されている（１）から（７）いずれか記載の吸収性物品。
【００２９】
（９）の発明によれば、吸収体の短手方向の両端部近傍から拡散した体液が、表面シートに戻った場合でも、その上のマスキング部材によって表面シートの部分を隠蔽できる。
【００３０】
（１０）  前記マスキング部材と、前記表面シートと、前記裏面シートと、前記吸収体とが、前記吸収体の前記短手方向の両端部近傍にて接合されて一体化されている（１）から（９）いずれか記載の吸収性物品。
【００３１】
（１０）の発明によれば、上述のように、体液はマスキング部材が配置されていない表面シートから流入し、吸収体で拡散されるが、接合部は他よりも密度が高くなるため、体液が滲みやすい。例えば、表面シートが不織布で形成されている場合には、表面シートの繊維が毛管作用によって吸収体に蓄えられた体液が吸い上げられ、接合部が表面シートからみて滲んだようにみえてしまう。しかし、マスキング部材を含めて接合したことによって、接合部に体液が滲んでいるようには見えず、横もれに対する安心感が増すことになる。
【００３２】
特に、マスキング部材として多孔質フィルムを用いた場合には、接合によって、接部の空孔が潰れて平面フィルム様になるので、表面シートと吸収体との接触をより効果的に防止できる。なお、接合方法は特に限定されず、ホットメルトなどの接着剤接合でもよく、熱融着でもよい。
【００３３】
（１１）  前記マスキング部材は、着色されているものである請求項１から１０いずれか記載の吸収性物品。
【００３４】
（１１）の発明によれば、例えば、マスキング部材を体液と同系色の色に着色することによって、更に、隠蔽効果を高めることが可能となる。より具体的には、マスキング部材を、ハンター色差系におけるハンター値が６０未満の値とすることで、隠蔽効果をより高めることができる。
【００３５】
（１２）  前記マスキング部材は、前記長手方向に張力がかけられた状態で配置されている（１）から（１１）いずれか記載の吸収性物品。
【００３６】
（１２）の発明によれば、長手方向に張力をかけることによって、製品が表面側に湾曲しやすくなり、より体の形状に沿いやすく、装着感を向上できる。この場合、張力としては、長手方向に対して１．０３から１．４５倍となるように張力をかけることが好ましい。
【発明の効果】
【００３７】
本発明に係る吸収性物品によれば、マスキング部材を吸収体の両側に配置することによって、表面シートの側縁部分に液体が染み出すことがなくなり、着用者に誤った換え時という視覚的印象を与えずに済む。また、肌を汚す領域が、限られた領域となるため、着用者に不快感を与えることが減少する。
【発明を実施するための最良の形態】
【００３８】
以下、本発明の好適な実施形態について、吸収性物品としての生理用ナプキンを例として、図面を参照しながら説明する。なお、同一の構成要素には同一符号を付して、その説明を省略若しくは簡略化する。また、パーセントの表記に関し、本発明では重量％を意味するものとする。
【００３９】
＜全体構成＞
図１は本発明の一実施形態の生理用ナプキンを示す平面図であり、図２Ａは図１のＸ−Ｘ’断面図である。この生理用ナプキン１は、図１、図２Ａに示すように、表面シート２と、裏面シート３と、これら両層の間に介在する吸収体４と、吸収体４の短手方向の両端部近傍であって、表面シート２と裏面シート３との間に配置される一対のマスキング部材５、５とから主として構成されている。なお、この実施形態における短手方向とは図１のＸ−Ｘ’方向であり、長手方向とは図１のＷ１の方向である。
【００４０】
表面シート２は、液易透過性のトップシート２１と、クッション層となる液易透過性もしくは液保持性のセカンドシート２２とからなる。裏面シート３は液難透過性のシートである。吸収体４は、液保持性の吸収体コア４１と、その下部から延出する延出部４２とからなり、吸収体コア４１は、表面シート２と裏面シート３との間に介在するように配置されており、延出部４２は、表面シート２と裏面シート３との間に積層されるように配置されている。
【００４１】
吸収体４の短手方向の両端部近傍であって、延出部４２上には、長手方向に沿って、一対の帯状のマスキング部材５が設けられている。そして、表面シート２であるトップシート２１とセカンドシート２２、吸収体４、裏面シート３は、それぞれホットメルト型接着剤（以下ＨＭＡと称する）で貼り合せて接合されている。更に、裏面シート３の下側で、吸収体４１とマスキング部材５の下に相当する位置には、図示しない滑り止め部材が設けられている。
【００４２】
また、図１に示すように、表面シート２と、延出部４２と、裏面シート３とは、周状の熱融着部２３によって固定されており、吸収体４の短手方向の両端部近傍では、熱融着部２３の一部はマスキング部材５にかかっている。したがって、図２Ａに示すように、マスキング部材５の存在する位置では、表面シート２、マスキング部材５、延出部４２、裏面シート３が熱融着部２３によって固定されている。
【００４３】
なお、本発明におけるマスキング部材５は、図２Ｂに示すように、表面シート上に配置されている構成であってもよい。
【００４４】
＜マスキング部材＞
図１における、マスキング部材５が設けられている領域の長手方向の長さＷ１は、本実施形態に係る生理用ナプキン１と同等であることが最も好ましいが、４０ｍｍ以上であることが好ましく、５０ｍｍ以上であることがさらに好ましい。また、製品長によっても視覚的効果が変わるため、製品長の長さの２０％以上の長さを必要とする。また、短手方向の長さＷ２の長さは、Ｗ３の側縁部から吸収体側縁部とほぼ同等かそれ以上の長さであることが好ましい。また、マスキング部材同士の間隔Ｗ３は、２０ｍｍから７０ｍｍであることが好ましく、２６ｍｍから５０ｍｍであることがさらに好ましい。Ｗ３が２０ｍｍ以下であると排泄口部位から排出された体液がマスキング部材５の上に設けられたトップシート２１とセカンドシート２２から吸収体コア４１に浸透する可能性があり、マスキング効果を発揮できない。また、Ｗ３が、７０ｍｍ以上であると、体液が拡散された状態を使用者が確認することとなるため、マスキング効果の視覚的効果が発揮されない。
【００４５】
マスキング部材５は、織布材料及び不織布材料、開孔フィルム、ウレタンフォームのような多孔質フォーム等が用いられる。織布材料及び不織布材料としては、合成繊維（例えば、ポリエステル繊維、ポリプロピレン繊維、又はポリエチレン繊維のようなポリマー繊維）等が挙げられる。なかでも、開孔フィルムは、後述するように、液体に対して透過性であるが、着用者の皮膚に向かって液体を逆方向に通す傾向が小さいフィルムを用いることがより好ましい。なお、マスキング部材に主として吸湿性繊維が混じっているとマスキング部材が体液を吸い、その体液が表面シートに移行する可能性があるので、天然繊維を主とする材料は好ましくない。
【００４６】
上記のうち、本発明に係るマスキング部材５としては、厚み方向に連通する空孔を有する多孔質フィルムが好ましく、多孔質フィルムは開孔フィルムであり、この開孔フィルムの一方の面には、他方の面のそれぞれの前記空孔の周縁部から延出する周状のリブが形成されており、周状のリブは、その終端部に向かって縮径するテーパー状をなしていることがより好ましい。
【００４７】
具体的には、図３に示すような構造を有していることが好ましい。図３は、好ましいマスキング部材の拡大断面図を示したものである。
【００４８】
このマスキング部材５は開孔フィルムであり、図中の斜線部がフィルム基材５６である。フィルム基材５６以外の部分は空間となっており、空孔５４（開孔部）と、窪み５５とを交互に形成している。すなわち、この開孔フィルムは、図中の基準線５２ｂの線を基準とした平面状のフィルムから、開孔部となる空孔５４の部分の周壁が、基準線５１ｂまで、その終端部に向かって縮径するテーパー状をなすように延出しており、本発明におけるリブ５３を構成している。そして、このリブ５３によって、開孔フィルムの両面には、表面開孔径の小さい小開孔部５１ａを有する低開孔率面５１（基準線５１ｂと同じ位置、図３における下側）と、表面開孔径の大きい大開孔部５２ａを有する高開孔率面５２（基準線５２ｂと同じ位置、図３における上側）とが形成されている。
【００４９】
図３における開孔フィルムの厚さｄは、２０ｇ／ｃｍ２荷重下で０．４ｍｍ以上となるようにリブ５３が形成されていることが好ましい。また、小開孔部５１ａの開孔径は０．２ｍｍ以上０．８ｍｍ以下が好ましく、大開孔部５２ａの開孔径は０．６ｍｍ以上１．３ｍｍ以下が好ましい。（但し、小開孔部の方が大開孔部より小さい）。空孔５４の開孔率（面積率）は小開孔部で５％以上４５％以下であることが好ましい。このような開孔フィルムは、従来公知の製造方法によって得ることができる。
【００５０】
そして、この実施形態においては、図４に示すように、吸収体４の延出部４２と当接する面側が低開孔率面５１となるように配置されている。この低開孔率面５１が本発明における「一方の面」に相当し、高開孔率面５２が本発明における「他方の面」に相当する。このような配置をとることにより、体圧がかかった状態で、図中の矢印方向に体液のウエットバックが生じた場合にも、一時的に体液を窪み５５内に滞留させ、体液が空孔を通過して表面シート側に染み出すことをより的確に防ぐことが可能となる。
【００５１】
なお、この多孔質フィルムは1枚のみ配置してもよく、複数枚を重ねて配置してもよいが、少なくとも、吸収体４の延出部４２と当接する面側が低開孔率面５１となるように配置されていることが好ましい。図５、６には、２枚重ねた場合の好ましい重ね方の一例が示されており、図７には、２枚重ねた場合の好ましくない重ね方が示されている。なお、この重ね方については、後述する実施例において、更に詳細に説明する。
【００５２】
＜構成部材＞
次に、生理用ナプキン１を構成する部材について説明する。
【００５３】
表面シートを構成するトップシート２１は、親水性であり、肌に刺激を与えない材料が使用される。このようなものとしては、ポイントボンド、スパンレース、スパンボンド不織布や等があげられる。また、開孔フィルムを用いてもよい。なかでも、最も好ましいのは表面の風合いがよく、密度の小さいスルーエア不織布である。更に、スルーエア不織布としては、例えば目付３５ｇ／ｍ２で、ポリエチレンテレフタレート（酸化チタン１．１％含有）−ポリエチレンの芯鞘型複合熱可塑性繊維で２．６ｄｔｅｘ×５１ｍｍの繊維に親水油剤が塗布されたものが５０％、ポリエチレンテレフタレート（酸化チタン１．１％含有）−ポリエチレンの芯鞘型複合熱可塑性繊維で２．２ｄｔｅｘ×４４ｍｍの繊維に親水油剤が塗布されたものが３０％、ポリエチレンテレフタレート（酸化チタン１．１％含有）−ポリエチレンの芯鞘型複合熱可塑性繊維で２．２ｄｔｅｘ×４４ｍｍの繊維に撥水油剤が塗布されたものが２０％の割合で混綿されたもので厚みは０．６ｍｍである。また、芯鞘構造の芯部に酸化チタンを添加しているため、酸化チタンが添加されていないものより表面のすべり性及びドレープ性が高く風合いが良い。そして、スルーエア不織布なので、他の不織布（スパンボンド、スパンレース等）に比べ、嵩をもっており、空隙を多く設けることが可能であるので好ましい。
【００５４】
また、目付は１５〜１００ｇ／ｍ２が好ましく、３０〜６０ｇ／ｍ２がより好ましい。０．４〜２．０ｍｍの嵩を有し、更に不織布繊維の芯鞘構造の芯部に酸化チタンが１．０％以上含有されているものであることで、表面シートの使用中のへたりが少なく、吸収体との距離を稼げる、更に、表面シート自体も隠蔽性を高めることができる。更に、撥水性の繊維を３０％までいれることにより、表面シートの拡散性を抑える効果があり、かつ、撥水繊維をブレンドすることにより、吸収体からの液の吸い上げを抑制する効果もある。目付が１５ｇ／ｍ２以下だと表面強度が十分に得られず、使用中に破ける恐れがある。また１００ｇ／ｍ２以上の場合、過度のごわつきが発現し、使用中に違和感を生じる。また、密度は０．１２ｇ／ｃｍ３以下で液透過性であれば特には限定されない。密度がこれ以上の場合、表面シートの繊維間をスムーズに透過することが難しい。経血の場合、尿などにくらべ粘性が高く、極力密度が低いものが良い。
【００５５】
表面シートを構成するセカンドシート２２は液透過性もしくは液保持性である材料が使用される。このようなものとしては、トップシート２１と同様にポイントボンド、スパンレース、スパンボンド不織布等があげられるが、最も好ましいのは表面の風合いがよく、密度の小さいスルーエア不織布である。このスルーエア不織布は、他の不織布（スパンボンド、スパンレース等）に比べ、嵩をもっており、空隙を多く設けることが可能であるので好ましい。具体的にはセカンドシート２２に使用されるスルーエア不織布は、目付２０ｇ／ｍ２、で、ポリプロピレン−ポリエチレンの芯鞘型複合熱可塑性繊維の３．３ｄｔｅｘ×４５ｍｍと２．２ｄｔｅｘ×４５ｍｍが重量比７０：３０の割合で混綿されたものが挙げられる。
【００５６】
また、スルーエア不織布の他に、液保持性のエアレイドパルプであってもよい。このエアレイドパルプの場合、親水作用をスルーエア不織布に比べて持ち合わせているため、表面シートに滞留している経血を引き寄せるという点で優れる。尚、このエアレイドパルプには、化学繊維で骨格を保つ構成をされていて、水分の影響を受けにくいものもあるが、ほとんどの構成を化学繊維で構成されているスルーエア不織布の方がより好ましい。
【００５７】
尚、セカンドシート２２は、密度が０．１〜０．０１ｇ／ｃｍ３の範囲であるのが好ましい。０．１ｇ／ｃｍ３より高い場合、空隙が少なく経血の透過性が悪くなる。また、０．０１ｇ／ｃｍ３より低い場合、空隙は多く稼げるものの、空隙を維持するための骨格が弱くなる可能性があるので好ましくない。なお、セカンドシート２２は、例えば、トップシート２１の裏面側にスパイラル状に塗布されたＨＭＡにて貼り合わせることができる。
【００５８】
吸収体４は、経血を吸収して保持する機能を有するもので、エアレイドパルプや、吸収性繊維が含まれる不織布（スパンレース、スルーエア法等）などの吸収性のシートが使用される。一例として、パルプは目付２００ｇ／ｍ２、ポリマーは目付４ｇ／ｍ２（ポリマーは全体に分散している）で、パルプとポリマーは全体に均一に分布している化学パルプと吸収性ポリマーの混合体を１５ｇ／ｍ２のティッシュで包んだものが挙げられる。
【００５９】
また、裏面シート３を構成するバックシートは、ポリエチレン（ＰＥ）、ポリプロピレン（ＰＰ）等を主体とした液不透過性フィルム、通気性フィルム、スパンボンドなどの不織布の片面に液不透過性フィルムをラミネートした複合シートなどが挙げられる。具体的には、液不透過性フィルムは、着用感を損なわない柔軟性を考慮した上で、密度が０．９００〜０．９２５ｇ／ｃｍ３の範囲である低密度ポリエチレン（ＬＤＰＥ）を主体とした目付１５〜４０ｇ／ｍ２からなるものである。
【実施例】
【００６０】
以下に、本実施形態に係る生理用ナプキンについて、そのマスキング部材のマスキング効果を種々の開孔フィルムを用いて検討した結果を示す。
【００６１】
＜多孔質フィルムＡ＞
マスキング部材として、低密度ポリエチレン（ＭＦＲ１５ｇ／１０ｍｉｎ、密度０．９１５ｇ／ｃｃ）６８％、低密度ポリエチレン（ＭＦＲ７ｇ／１０ｍｉｎ、密度０．９１７ｇ／ｃｃ）２８％、酸化チタン３．８％、親水剤（一例としてグリセリン脂肪酸エステル）０．２％の割合で配合して製膜した後、公知の方法により開孔し、図３に示すような開孔フィルム作成した（目付２５ｇ／ｍ２、開孔率２５％、小開孔部５１ａの開孔径０．６１ｍｍ、大開孔部５２ａの開孔径０．９４ｍｍ）。
【００６２】
＜多孔質フィルムＢ＞
マスキング部材として、高密度ポリエチレン（ＭＦＲ３０ｇ／１０ｍｉｎ、密度０．９５０ｇ／ｃｃ）５７．６％、低密度ポリエチレン（ＭＦＲ７ｇ／１０ｍｉｎ、密度０．９１７ｇ／ｃｃ）３８．４％、酸化多孔チタン３．８％、親水剤０．２％の割合で配合して製膜した後、公知の方法により開孔し、図３に示すような開孔フィルム作成した（目付２０ｇ／ｍ２、開孔率２５％、小開孔部５１ａの開孔径０．５５ｍｍ、大開孔部５２ａの開孔径０．８２ｍｍ）。
【００６３】
＜多孔質フィルムＣ＞
マスキング部材として、高密度ポリエチレン（ＭＦＲ３０ｇ／１０ｍｉｎ、密度０．９５０ｇ／ｃｃ）５７．６％、低密度ポリエチレン（ＭＦＲ７ｇ／１０ｍｉｎ、密度０．９１７ｇ／ｃｃ）３８．４％、酸化多孔チタン３．８％、親水剤０．２％の割合で配合して製膜した後、公知の方法により開孔し、図３に示すような開孔フィルム作成した（目付２５ｇ／ｍ２、開孔率２５％、小開孔部５１ａの開孔径０．５３ｍｍ、大開孔部５２ａの開孔径０．８１ｍｍ）。
【００６４】
＜ウレタンフォーム＞
マスキング部材として、ポリエステル系ポリウレタンフォーム、厚み１．８ｍｍ、密度２８ｋｇ／ｃｍ３、セル数（連続気泡型）４５〜５０個／ｉｎｃｈのもの（ブリジストン化成品社製、商品名：ＷＧ−（Ｂ））を用いた。
【００６５】
なお、表面シートとして、スルーエア不織布目付３５ｇ／ｍ２で、ポリエチレンテレフタレート（酸化チタン１．１％含有）−ポリエチレンの芯鞘型複合熱可塑性繊維で２．６ｄｔｅｘ×５１ｍｍの繊維に親水油剤が塗布されたものが５０％、ポリエチレンテレフタレート（酸化チタン１．１％含有）−ポリエチレンの芯鞘型複合熱可塑性繊維で２．２ｄｔｅｘ×４４ｍｍの繊維に親水油剤が塗布されたものが３０％、ポリエチレンテレフタレート（酸化チタン１．１％含有）−ポリエチレンの芯鞘型複合熱可塑性繊維で２．２ｄｔｅｘ×４４ｍｍの繊維に撥水油剤が塗布されたものが２０％の割合で混綿されたもので厚みは０．６ｍｍのものを使用した。また、セカンドシートとしてポリプロピレンーポリエチレンの芯鞘型複合熱可塑性繊維の３．３ｄｔｅｘ×４５ｍｍと２．２ｄｔｅｘ×４５ｍｍが重量比７０：３０の割合で混綿されたもので、厚みが０．３ｍｍのものを使用した。さらに吸収体として、粉砕パルプ目付１５０ｇ／ｍ２を目付１５ｇ／ｍ２のティッシュで挟んだもので、粉砕パルプの密度が０．０５４ｇ／ｃｍ３のものを使用した。
【００６６】
＜染み出し試験＞
各試料を１０ｃｍ角にカットし、吸収体の上に１０ｍｌの人口経血を滴下し、滴下後１分後に各試料と更にその上にセカンドシート二枚と表面シートとを重ねて底面が１０ｃｍ角の２ｋｇの錘を載せる。加圧後３分後に重りを外し、表面シートに人口経血が付着したかを確認した。なお、マスキング部材の厚さは、厚み計（（株）大栄科学精器製作所製  ＴＨＩＣＫＮＥＳＳ  ＧＡＵＧＥ  ＭＯＤＥＬ  ＵＦ−６０）を用いて測定した。さらに、小開孔部と大開孔部の開孔径は、電子顕微鏡で撮影した拡大写真を元に測定し、縦と横の寸法の平均値で表した。
【００６７】
【表１】
2006198130.tif 000003
【００６８】
表中、３．３ｇ／ｃｍ２とは、厚み計の端子の加重から端子の面積で割ったものである。また、２０ｇ／ｃｍ２とは、厚みの端子の上部に重りを載せ、２０ｇ／ｃｍ２加重の加圧がかかるようにして測定した時の値である。
【００６９】
表１より、２０ｇ／ｃｍ２の厚みが０．４ｍｍ以上の場合には染み出しがなく、隠蔽効果が高いことがわかる。また、ウレタンフォームをマスキング部材として用いた場合にも、多孔質フィルムと同様のマスキング効果を奏することがわかる。
【００７０】
＜多孔質フィルムの重ね合わせパターンの検討＞
上述のように、多孔質フィルムの重ね合わせパターンが異なることによりマスキング部材のマスキング効果は異なる。そのため、最適なマスキング効果を奏する重ね合わせパターンの検討を行なった。試験は、上記の染み出し試験と同様の方法で行った。その結果を表２に示す。
【００７１】
【表２】
2006198130.tif 000004
【００７２】
表２より、多孔質フィルムを高−低−高−低のパターンで重ねた場合（図７に相当）には、体圧がかかることによって吸収体に向かって広がる多孔質フィルムの空孔から液体がウェットバックしようとする（図７における矢印方向）。この場合、体液は、図７の空孔５４に沿って、そのまま表面シートに移行してしまう。
【００７３】
一方、多孔質フィルムを低−高−低−高のパターンで重ねた場合（図６に相当）には、体液は、体圧がかかった際に、体液は窪み５５に流入するが、その上面側は閉塞している。このため、表面シートと吸収体との接触を効率的に遮断でき、液体が表面シートに染み出るのを防止できる。
【図面の簡単な説明】
【００７４】
【図１】本実施形態に係る生理用ナプキンを示した図である。
【図２Ａ】本実施形態に係る生理用ナプキンのＸ−Ｘ’断面を示した図である。
【図２Ｂ】別の実施形態における生理用ナプキンの断面を示した図である。
【図３】好ましいマスキング部材の拡大断面図である。
【図４】図１におけるマスキング部材付近の拡大断面図である。
【図５】本発明に係るマスキング部材の重ね合わせパターンを示した図である。
【図６】本発明に係るマスキング部材の重ね合わせパターンを示した図である。
【図７】本発明に係るマスキング部材の重ね合わせパターンを示した図である。
【符号の説明】
【００７５】
１    生理用ナプキン
２    表面シート
２１    トップシート
２２    セカンドシート
２３    熱融着部
３    裏面シート
４    吸収体
４１    吸収体コア
４２  延出部
５    マスキング部材
５１    低開孔率面
５１ａ  小開孔部
５１ｂ  基準線
５２    高開孔率面
５２ａ  大開孔部
５２ｂ  基準線
５３    リブ
５４    空孔
５５    窪み
５６    フィルム基材
【図１】
2006198130.tif 000005
【図２Ａ】
2006198130.tif 000006
【図２Ｂ】
2006198130.tif 000007
【図３】
2006198130.tif 000008
【図４】
2006198130.tif 000009
【図５】
2006198130.tif 000010
【図６】
2006198130.tif 000011
【図７】
2006198130.tif 000012